(57)【要約】【課題】ケーブル結線部を備えた狭ピッチプラグコネクタにおいて、コネクタの小型化と高速伝送特性が向上したコネクタを提供すること。【解決手段】コネクタ５において、コンタクト３は、相手側コネクタと接続する接触部３Ａと、インシュレータ２に保持される保持部３Ｃと、ケーブルと接続する結線部３Ｃとを有する。結線部には、ケーブルが半田付され、コンタクト３の軸方向においてインシュレータ２から突出形成されている。結線部３Ｂはコンタクト３のピッチ方向で斜めに形成されている。【選択図】      図１
2004158288.tif 000002
【特許請求の範囲】
【請求項１】
ピッチ方向に並設された複数のコンタクトと、前記コンタクトを保持固定するインシュレータとを備えたコネクタにおいて、
前記コンタクトは、相手側コネクタと接続する接触部と、前記インシュレータに保持される保持部と、ケーブルと接続する端子部とを有し、
前記端子部は、前記ケーブルが半田付される結線部を備え、且つ前記コンタクトの軸方向においてインシュレータから突出形成され、
前記結線部はコンタクトのピッチ方向で斜めに形成されていることを特徴とするコネクタ。
【請求項２】
請求項１記載のコネクタにおいて、前記結線部はコンタクトのピッチ方向で、交互に千鳥状に形成されていることを特徴とするコネクタ。
【発明の詳細な説明】
【０００１】
【発明の属する技術分野】
本発明は、コネクタに関し、詳しくは、携帯型情報端末（ＰＤＡ）等にインターフェースとして組み込まれる狭ピッチコネクタと、そのコンタクトの形状に関する。
【０００２】
【従来の技術】
従来のコネクタの構造について図４〜図５を参照して説明する。
【０００３】
図４（ａ）は従来のコネクタの一例の結線部側を正面にした斜視図、図４（ｂ）は図４（ａ）のコネクタの結線側から眺めた正面図、図４（ｃ）は図４（ｂ）の円部分の拡大図である。尚、図４（ａ）乃至（ｃ）において、わかり易くするために、コンタクトに斜線が施されている。図４（ａ）乃至（ｃ）を参照すると、コネクタ３１は、コンタクトのピッチが例えば、１．１ｍｍの狭ピッチコネクタである。コネクタ３１は、インシュレータ３２と、インシュレータ３２に整列して保持される１４本のコンタクト３３とから構成される。
【０００４】
各コンタクト３３の一端付近には、コンタクト３３の板厚方向に対して略直交する方向に、ケーブルを半田付けするための結線部３３Ａが形成される。各コンタクト３３の一端付近に形成された結線部３３Ａの先端は、隣接するコンタクト３３の他端付近に隙間Ｃ１の距離で対向する。
【０００５】
図５（ａ）は従来のコネクタの他の一例の結線側から眺めた正面図である。図５（ｂ）は図５（ａ）のコネクタの円部分の拡大図である。図５においても、コンタクト部分は斜線で示されている。
【０００６】
図５（ａ）及び（ｂ）に示されるコネクタは、ピッチ０．７ｍｍの狭ピッチコネクタである。コネクタ４１は、インシュレータ４２と、インシュレータ４２に整列して保持される１４本のコンタクト４３とから構成される。
【０００７】
図５（ｂ）に最も良く示されるように、各コンタクト４３の一端付近には、コンタクト４３の板厚方向に対して略直交する方向に、ケーブルを半田付けするための結線部４３Ａが形成される。
【０００８】
図６（ａ）は従来のコネクタの更にもう一つの例のコンタクトを示す斜視図である。図６（ｂ）は図６（ａ）のコンタクトを備えたコネクタの結線側から眺めた斜視図である。図６（ｃ）は図６（ｂ）のコネクタの結線側から眺めた正面図である。図６（ｄ）及び（ｅ）は図６（ｃ）の円部分の断面図である。
【０００９】
図６（ａ）を参照とすると、コンタクト５３は、先端部５３Ａと、インシュレータに圧入保持される保持部５３Ｃと、コンタント５３の板厚方向に幅を備えるとともに、長さ方向に延びる端子部５３Ｂとを備えている。端子部５３Ｂには、リード線を半田付けするための円筒状に湾曲した結線部５３Ｄが設けられている。
【００１０】
図６（ｂ）及び（ｃ）に示すように、コネクタ５１は、インシュレータ２とインシュレータの保持部に圧入保持されたコンタクト５３とを備えている。
【００１１】
図６（ｄ）及び（ｅ）を参照すると、結線部形状が２種類のコンタクトを組み込む際に、どちらか一方のコンタクトの結線部は隣接するコンタクト幅５５と干渉しないように隙間５４を設ける必要がある。
【００１２】
【発明が解決しようとする課題】
図４（ｂ）、図５（ｂ）、図６（ｄ）のいずれに示した従来例においても、従来の曲げ形状のコンタクトを組み込み可能とするため、結線部位置をコンタクト最大板幅よりも外側に逃がすことでコンタクトの干渉が避けられる組み合わせとなるが、結線部を逃がした分Ｃ１だけコネクタ全体が大きくなり、小型化が困難であった。
【００１３】
また、図４（ｂ）に示すように、従来例においては、ケーブル半田付けの際に必要となるコンタクト結線部の形状が直角曲げによって形成されている。この従来のコンタクトの結線部の曲げ形状においては、図５（ｂ）に示す狭ピッチコネクタの場合、各コンタクト４３の一端付近に形成された結線部４３Ａの先端から長さＣ２  までの範囲は、隣接するコンタクト４３と干渉するため、各コンタクト４３をインシュレータ４２に組込むことが困難であった。
【００１４】
また、図６（ｅ）に示すように、コンタクトの結線部間距離５７，５８が広がると共に、隣接するコンタクトの結線部間距離５７，５８が非対称となるため、高速差動伝送と対応するコネクタにおいては、差動信号を流す端子の組み合わせによってインピーダンスが変化するという欠点を備えている。
【００１５】
そこで、本発明の技術的課題は、ケーブル結線部を有するコンタクトを備えた狭ピッチコネクタにおいて、コネクタの小型化と高速伝送特性が向上したコネクタを提供することにある。
【００１６】
【課題を解決するための手段】
本発明によれば、ピッチ方向に並設された複数のコンタクトと、前記コンタクトを保持固定するインシュレータとを備えたコネクタにおいて、前記コンタクトは、相手側コネクタと接続する接触部と、前記インシュレータに保持される保持部と、ケーブルと接続する端子部とを有し、前記端子部は、前記ケーブルが半田付される結線部を備え、且つ前記コンタクトの軸方向においてインシュレータから突出形成され、前記結線部はコンタクトのピッチ方向で斜めに形成されていることを特徴とするコネクタが得られる。
【００１７】
また、本発明によれば、前記コネクタにおいて、前記結線部はコンタクトのピッチ方向で、交互に千鳥状に形成されていることを特徴とするコネクタが得られる。
【００１８】
【発明の実施の形態】
以下、本発明の実施の形態について図面を参照しながら説明する。
【００１９】
図１（ａ）は本発明の実施の形態によるコネクタのコンタクトの結線部側を正面にして描いた斜視図である。図１（ｂ）は図１（ａ）のコンタクトを備えたコネクタをコンタクトの結線部側を正面にして眺めた斜視図である。図１（ｃ）はコネクタの結線部側から眺めた正面図である。図１（ｄ）は図１（ｃ）の円部分の拡大図である。
【００２０】
図１（ａ）に示すように、コンタクト３は細長い金属板からなり、一端に接触部３Ａと、接触部から長さ方向に延在する保持部３Ｃと、保持部３Ｃよりも上方に段をなし、長さ方向に延在する端子部３Ｂとを備えている。保持部３Ｃはインシュレータ２の収容部に圧入されて保持される。端子部３Ｂには、断面が丸く形成されるとともに、コンタクトの板厚方向（コネクタのコンタクトのピッチ方向）と略４５°傾斜して形成された結線部３Ｄを備えている。
【００２１】
図１（ｂ）及び（ｃ）に示されるように、プラグコネクタ本体５は、インシュレータ２と、インシュレータ２に設けられた収容部に整列して保持される３０本のコンタクト３とから構成される。各コンタクト３は、ピッチ方向において１本毎に逆向きに配置される。尚、矢印２１はコンタクト３の軸方向を示している。
【００２２】
図１（ｄ）を参照すると、コンタクト３の端子部３Ｂの先端側の結線部３Ｄは、斜め左上方に隣接するコンタクト３の一端付近の結線部３Ｄに間隔２５を介して対向配置され、更に斜め右上方に隣接するコンタクト３の一端付近の結線部３Ｄに間隔２４を介して対向配置される構成となっている。
【００２３】
このようにコンタクト３の結線部３Ｄをピッチ方向に対して略４５°傾斜する構成としたために、コンタクト３の組み込みの際に隣接するコンタクト３との干渉を防ぐことができるとともに、コンタクト３間の距離は最小限ですむ。また、互いに隣接するコンタクト３の結線部３Ｄ間の間隔２４，２５は、ほぼ対称であるため、コンタクト３の組み合わせによるインピーダンスの違いをなくすることができ、高速伝送を要するコネクタのインピーダンスの整合を図ることができる。
【００２４】
また、コンタクト３の結線部３Ｄ同士の上下方向の間隔（高さ）２６を短くすることができるので、コネクタの高さを低くすることができる。
【００２５】
図２（ａ）は本発明の実施の形態によるプラグコネクタの全体を示す斜視図である。図２（ｂ）は図２（ａ）のプラグコネクタのコネクタ本体部分をコンタクトの接触部側を正面とした斜視図である。図２（ｃ）は図２（ｂ）のプラグコネクタのコンタクトの結線部側を正面とした斜視図である。図２（ｄ）は図２（ａ）、（ｂ）、及び（ｃ）に嵌合されるレセプタクルコネクタの斜視図である。
【００２６】
図２（ａ）に示すように、プラグコネクタ１０において、プラグコネクタ本体５は、インシュレータ２の嵌合側の上面には、シェル７が被覆されている。嵌合側以外のインシュレータ２と各コンタクト３は、全体的にフード６により被覆される。
【００２７】
図２（ｂ）と（ｃ）に示されるように、プラグコネクタ１０のインシュレータ２の一方側には、嵌合側の３０本のコンタクト３の接触部が保持され、他方側には、前述した結線側の３０本のコンタクト３の外部に露出した結線部３Ｄを備えた端子部３Ｂが保持されている。各コンタクト３は、相手側コネクタと接続する接触部と、インシュレータ２に保持される保持部（図示せず）と、ケーブルと接続する結線部を備えた端子部とを有する。
【００２８】
図２（ｄ）に示すように、プラグコネクタ１０をレセプタクルコネクタ１１に嵌合すると、プラグコネクタ１０の各コンタクト３の嵌合側の接触部は、レセプタクルコネクタ１１の図示しない各コンタクトの嵌合部１２側の接触部と接続する。
【００２９】
図３は図２（ａ）のプラグコネクタ１０とレセプタクルコネクタ１１を備えたＰＤＡ２０との接続前の状態を示す斜視図である。プラグコネクタ１０を携帯型情報端末（ＰＤＡ）２０の下端面に設けられたレセプタクルコネクタ１１に嵌合すると、プラグコネクタ１０の各コンタクト（図示せず）の嵌合側の接触部３Ａ（図１（ａ）参照）は、レセプタクルコネクタ１１の嵌合部１２側の接触部と接続する。
【００３０】
本実施の形態においては、３０本のコンタクト３は、接触部３Ａ、結線部３Ｄを設けた端子部３Ｂ及び保持部３Ｃを含めてプレスにより予め加工された後に、インシュレータ２に一括して同時に圧入される。
【００３１】
【発明の効果】
以上説明したように、本発明によれば、ケーブル結線部を備えた狭ピッチプラグコネクタにおいて、コネクタの小型化と高速伝送特性が向上したコネクタを提供することができる。
【図面の簡単な説明】
【図１】（ａ）は本発明の実施の形態によるプラグコネクタのコンタクトの結線部側を正面にして描いた斜視図である。
（ｂ）は（ａ）のコンタクトを備えたプラグコネクタのコネクタ本体をコンタクトの結線部側を正面にして眺めた斜視図である。
（ｃ）はプラグコネクタ本体の結線部側から眺めた正面図である。
（ｄ）は（ｃ）の円部分の拡大図である。
【図２】（ａ）は本発明の実施の形態によるプラグコネクタの全体を示す斜視図である。
（ｂ）は（ａ）のプラグコネクタのコネクタ部分をコンタクトの接触部側を正面とした斜視図である。
（ｃ）は（ｂ）のコネクタのコンタクトの結線部側を正面とした斜視図である。
（ｄ）は（ａ）、（ｂ）及び（ｃ）に嵌合されるレセプタクルコネクタの斜視図である。
【図３】図２（ａ）のプラグコネクタ１０とレセプタクルコネクタ１１を備えた携帯型情報端末（ＰＤＡ）２０との接続前の状態を示す斜視図である。
【図４】（ａ）は従来のコネクタの一例の結線部側を正面にした斜視図である。
（ｂ）は（ａ）のコネクタの結線側から眺めた正面図である。
（ｃ）は（ｂ）の円部分の拡大図である。
【図５】（ａ）は従来のコネクタの他の一例の結線側から眺めた正面図である。
（ｂ）は（ａ）のコネクタの円部分の拡大図である。
【図６】（ａ）は従来のコネクタの更にもう一つの例のコンタクトを示す斜視図である。
（ｂ）は（ａ）のコンタクトを備えたコネクタの結線部側から眺めた斜視図である。
（ｃ）は（ｂ）のコネクタの結線部側から眺めた正面図である。
（ｄ）及び（ｅ）は（ｃ）の円部分の断面図である。
【符号の説明】
２    インシュレータ
３    コンタクト
３Ａ  接触部
３Ｂ    端子部
３Ｃ    保持部
３Ｄ    結線部
５    プラグコネクタ本体
６    フード
７    シェル
１０    プラグコネクタ
１１    レセプタクルコネクタ
１２    嵌合部
２４，２５    間隔
２６    高さ
３１    コネクタ
３２    インシュレータ
３３    コンタクト
３３Ａ    結線部
４１    コネクタ
４２    インシュレータ
４３    コンタクト
４３Ａ    結線部
５３    コンタクト
５３Ａ    先端部
５３Ｂ    端子部
５３Ｃ    保持部
５３Ｄ    結線部
５１    コネクタ
５３    コンタクト
５４    隙間
５５    コンタクト幅
５７，５８    距離
【図１】
2004158288.tif 000003
【図２】
2004158288.tif 000004
【図３】
2004158288.tif 000005
【図４】
2004158288.tif 000006
【図５】
2004158288.tif 000007
【図６】
2004158288.tif 000008